(57)【要約】  【課題】  粘着テープの貼着作業を簡単にかつ迅速に行うことができる粘着テープ貼着具を提供することである。  【解決手段】  内部に巻粘着テープ１０が収容されたテープ収納容器１と、この容器の下部に設けられた開口部から一部が下方に突出したローラ２と、前記容器１の先端部に設けられたテープ・カッター３とを備え、粘着テープが、前記巻粘着テープから前記ローラの下端面を通って、かつ粘着面を下にして前記容器の先端方向に引き出されるようにした粘着テープ貼着具であって、前記カッター近くに設けられ、カッターで切断された粘着テープの先端部を保持するテープ保持手段と、この保持手段で保持された粘着テープの先端部を保持手段から離脱させ、テープ貼着面に貼着させるテープ先端貼着手段とを備えたことを特徴とする粘着テープ貼着具である。【選択図】  図１
2006027895.tif 000002
【特許請求の範囲】
【請求項１】
内部に巻粘着テープが収容されたテープ収納容器と、この容器の下部に設けられたローラと、前記容器の先端部に設けられたテープ・カッターとを備え、
粘着テープが、前記巻粘着テープから前記ローラの下端面を通って、かつ粘着面を下にして前記容器の先端方向に引き出されるようにした粘着テープ貼着具であって、
前記カッター近くに設けられ、カッターで切断された粘着テープの先端部を保持するテープ保持手段と、
この保持手段で保持された粘着テープの先端部を保持手段から離脱させ、テープ貼着面に貼着させるテープ先端貼着手段とを備えたことを特徴とする粘着テープ貼着具。
【請求項２】
前記テープ保持手段は、粘着テープの先端部を該テープの非粘着面側から突き刺すようにしたピンである請求項１記載の粘着テープ貼着具。
【請求項３】
前記ピンには、粘着テープ抜け止め用の突起が設けられている請求項２記載の粘着テープ貼着具。
【請求項４】
前記テープ先端貼着手段は、テープ保持手段近くの容器内に設けられ、貼着時に容器外方に突出して、粘着テープの先端部をテープ保持手段から離脱させテープ貼着面に貼着する押圧部を有する請求項１記載の粘着テープ貼着具。
【請求項５】
前記テープ先端貼着手段は、容器下部に設けた軸に回動自在に支持されかつ弾性体が接続されており、この弾性体の引張り力によって一端が容器内に収容されて前記押圧部を構成し、他端が容器から下方に突出している請求項４記載の粘着テープ貼着具。
【請求項６】
前記テープ先端貼着手段が、前記ローラと同じ軸で回動自在に支持されている請求項５記載の粘着テープ貼着具。
【請求項７】
前記テープ先端貼着手段は、容器下部に設けた軸に回動自在に支持されかつ前記ローラが、テープ先端貼着手段の押圧部と前記軸との間に設けられ、前記押圧部と共に容器内に収容される請求項５記載の粘着テープ貼着具。
【請求項８】
前記テープ先端貼着手段に設けられたローラは、貼着時に前記押圧部と共に下部が容器外方に突出するように容器内に収容されている請求項７記載の粘着テープ貼着具。
【請求項９】
前記容器の下端は、この容器を被貼着面上に載置したとき、被貼着面に接する載置部位と、この載置部位から容器先端に向かって傾斜した傾斜部位とを有し、容器を傾けて傾斜部位が被貼着面に接するときに、テープ先端貼着手段の他端が被貼着面に接しない請求項７または８記載の粘着テープ貼着具。
【請求項１０】
前記粘着テープは、非貼着時に、容器内に収容されたローラの下端面を通り、前記ピンに先端が保持されている請求項７〜９のいずれかに記載の粘着テープ貼着具。
【請求項１１】
前記テープ収納容器の側面に巻粘着テープ収納用の開閉蓋が設けられている請求項１〜１０のいずれかに記載の粘着テープ貼着具。
【請求項１２】
前記テープ収納容器の内側面には、このテープ収納容器の内側面が前記巻粘着テープと接触するのを防ぐための突起が設けられている請求項１〜１１のいずれかに記載の粘着テープ貼着具。
【請求項１３】
２つの巻粘着テープが、スペーサーを介して前記容器内に収容されており、同時に引き出し可能にした請求項１〜１２のいずれかに記載の粘着テープ貼着具。
【請求項１４】
前記２つの巻粘着テープの間隙を調整するために、前記スペーサーの両側に厚さ調整板を配置できるようにした請求項１３記載の粘着テープ貼着具。
【発明の詳細な説明】
【技術分野】
【０００１】
本発明は、粘着テープの貼着作業に用いる粘着テープ貼着具に関する。
【背景技術】
【０００２】
外壁や浴室タイルなどの目地には、防水処理としてコーキングが施される。このコーキングの際には、目地に充填するコーキング材が目地以外の場所に付着するのを防止するため、目地の両側にマスキングテープなどの粘着テープが貼着される。コーキングに際しては、一般に複数箇所にマスキングテープを貼着する場合が多いため、貼着作業が煩雑であり、作業効率の向上が要望されている。
【０００３】
上記マスキングテープを簡単に貼着する方法として、特許文献１には、特定のテープ収納容器に収容された巻粘着テープを貼着、切断する建築物壁面の間隙埋込みコーキング用テープ貼付器具が記載されている。
【０００４】
特許文献１のテープ貼付器具では、容器に設けられたカッターで切断されたテープ先端部は、容器下部に設けられたテープ受けに貼着される。したがって、再度粘着テープを貼着する際には、テープ先端部をテープ受けから指で剥がし、この先端部を指でつまみながら被貼着面に貼着しなければならない。このため、うまく先端部が引き剥がせなかったりして、テープ先端部の取り出しが面倒である。また、指で触れるため、テープ先端部の粘着力が低下するおそれもある。
【０００５】
上記した貼着作業の効率向上という問題は、マスキングテープにかかわらず、通常の粘着テープについても、同様の問題がある。特許文献２には、特定のテープ収納容器に収容された粘着テープを貼着、切断する装置および方法が記載されている。これによると、容器に設けられた押出し式カッターで切断されたテープの先端部は、このカッターの押出しに連動する容器内部に設けられた板バネにより押圧され、容器内部に設けられたテープ付着部に貼着される。そして、再度粘着テープを貼着する際には、容器の外に出たテープ先端部を被貼着面に貼着し、ついで容器を引張ることにより、テープ付着部から前記テープが剥がれるとされている。
【０００６】
しかしながら、マスキングテープに代表されるように、粘着力が弱いテープの場合には、テープ先端部が前記テープ付着部から剥がれ、容器内部に巻戻るおそれがある。また、これとは逆に、粘着力が強いテープの場合には、テープを貼着する際に、前記テープ付着部からテープが剥がれにくいおそれがある。このため、いずれの場合も、貼着作業を効率よく行ううえで、大きな妨げとなる。
【０００７】
【特許文献１】特公平７−９１１５号公報
【特許文献２】特開２０００−２２９７６６号公報
【発明の開示】
【発明が解決しようとする課題】
【０００８】
本発明の課題は、粘着テープの貼着作業を簡単にかつ迅速に行うことができる粘着テープ貼着具を提供することである。
【課題を解決するための手段】
【０００９】
本発明者は、上記課題を解決すべく鋭意検討を重ねた結果、テープ収納容器のカッター近くにテープ先端を保持する手段と、テープ先端を被貼着面に貼着する手段とを設けることで、テープを貼着する際には、前記保持手段で保持されたテープ先端部が、前記貼着手段によってこの保持手段から離脱し、かつ被貼着面に貼着されるため、粘着テープの貼着作業を簡単にかつ迅速に行うことができるという新たな事実を見出し、本発明を完成させるに至った。
【００１０】
すなわち、本発明の粘着テープ貼着具は、以下の構成からなる。
（１）内部に巻粘着テープが収容されたテープ収納容器と、この容器の下部に設けられたローラと、前記容器の先端部に設けられたテープ・カッターとを備え、粘着テープが、前記巻粘着テープから前記ローラの下端面を通って、かつ粘着面を下にして前記容器の先端方向に引き出されるようにした粘着テープ貼着具であって、前記カッター近くに設けられ、カッターで切断された粘着テープの先端部を保持するテープ保持手段と、この保持手段で保持された粘着テープの先端部を保持手段から離脱させ、テープ貼着面に貼着させるテープ先端貼着手段とを備えたことを特徴とする粘着テープ貼着具。
【００１１】
（２）前記テープ保持手段は、粘着テープの先端部を該テープの非粘着面側から突き刺すようにしたピンである前記（１）記載の粘着テープ貼着具。
【００１２】
（３）前記ピンには、粘着テープ抜け止め用の突起が設けられている前記（２）記載の粘着テープ貼着具。
【００１３】
（４）前記テープ先端貼着手段は、テープ保持手段近くの容器内に設けられ、貼着時に容器外方に突出して、粘着テープの先端部をテープ保持手段から離脱させテープ貼着面に貼着する押圧部を有する前記（１）記載の粘着テープ貼着具。
【００１４】
（５）前記テープ先端貼着手段は、容器下部に設けた軸に回動自在に支持されかつ弾性体が接続されており、この弾性体の引張り力によって一端が容器内に収容されて前記押圧部を構成し、他端が容器から下方に突出している前記（４）記載の粘着テープ貼着具。
【００１５】
（６）前記テープ先端貼着手段が、前記ローラと同じ軸で回動自在に支持されている前記（５）記載の粘着テープ貼着具。
【００１６】
（７）前記テープ先端貼着手段は、容器下部に設けた軸に回動自在に支持されかつ前記ローラが、テープ先端貼着手段の押圧部と前記軸との間に設けられ、前記押圧部と共に容器内に収容される前記（５）記載の粘着テープ貼着具。
【００１７】
（８）前記テープ先端貼着手段に設けられたローラは、貼着時に前記押圧部と共に下部が容器外方に突出するように容器内に収容されている前記（７）記載の粘着テープ貼着具。
【００１８】
（９）前記容器の下端は、この容器を被貼着面上に載置したとき、被貼着面に接する載置部位と、この載置部位から容器先端に向かって傾斜した傾斜部位とを有し、容器を傾けて傾斜部位が被貼着面に接するときに、テープ先端貼着手段の他端が被貼着面に接しない前記（７）または（８）記載の粘着テープ貼着具。
【００１９】
（１０）前記粘着テープは、非貼着時に、容器内に収容されたローラの下端面を通り、前記ピンに先端が保持されている前記（７）〜（９）記載の粘着テープ貼着具。
【００２０】
（１１）前記テープ収納容器の側面に巻粘着テープ収納用の開閉蓋が設けられている前記（１）〜（１０）のいずれかに記載の粘着テープ貼着具。
【００２１】
（１２）前記テープ収納容器の内側面には、このテープ収納容器の内側面が前記巻粘着テープと接触するのを防ぐための突起が設けられている前記（１）〜（１１）のいずれかに記載の粘着テープ貼着具。
【００２２】
（１３）２つの巻粘着テープが、スペーサーを介して前記容器内に収容されており、同時に引き出し可能にした前記（１）〜（１２）のいずれかに記載の粘着テープ貼着具。
【００２３】
（１４）前記２つの巻粘着テープの間隙を調整するために、前記スペーサーの両側に厚さ調整板を配置できるようにした前記（１３）記載の粘着テープ貼着具。
【発明の効果】
【００２４】
上記（１）によれば、テープを貼着する際には、前記保持手段で保持されたテープ先端部が、前記貼着手段によって簡単にこの保持手段から離脱すると共に、被貼着面に貼着されるため、粘着テープの貼着作業を簡単にかつ迅速に行うことができるという効果がある。
【００２５】
上記（２）によれば、テープは切断と同時に、ピンに刺さることで容器に保持されるため、テープ先端部を確実に容器に保持することができる。また、貼着時には、簡単にこのピンから離脱させることができる。
【００２６】
上記（３）によれば、ピンに刺さることで容器に保持されたテープ先端部が、ピンから抜け落ちることがないため、テープ先端部を、より確実に容器に保持することができる。
【００２７】
上記（４）、（５）によれば、前記保持手段に保持されたテープ先端部を、この保持手段から離脱させると共に、被貼着面に貼着させることができ、テープ先端部の被貼着面への貼着をスムーズに行うことができる。
【００２８】
上記（６）によれば、本発明における粘着テープ貼着具をコンパクトにすることができる。
【００２９】
上記（７）〜（９）によれば、テープ切断の際には、テープがローラによって被貼着面に押圧されることがなく、テープの切断を簡単かつ確実に行うことができる。
【００３０】
上記（１０）によれば、テープが容器外に露出しないので、粘着面に、ほこり等が付着することによるテープの粘着力低下を抑制でき、かつ粘着面が容器外に露出することによるテープの貼着位置の調整が邪魔されることがなく、テープの貼着を容易かつ確実に行うことができる。
【００３１】
上記（１１）によれば、巻粘着テープを前記容器内に簡単に収容できる。
【００３２】
上記（１２）によれば、前記巻粘着テープが前記容器の内側面に接触することなく、スムーズに粘着テープを引き出すことができる。
【００３３】
上記（１３）によれば、２つの巻粘着テープを前記容器内に収容でき、かつ目地の両側など、所定の間隔を有する２つの被貼着面に同時にテープを貼着することができ、作業効率がより一層向上する。さらに上記（１４）によれば、２つの粘着テープを貼着する間隙を、目地の幅などに合わせて自在に調整できる。
【発明を実施するための最良の形態】
【００３４】
以下、本発明にかかる粘着テープ貼着具について図面を参照して詳細に説明する。図１（ａ）は本発明の第一の実施形態にかかる粘着テープ貼着具を示す断面図であり、図１（ｂ）はその要部を示す拡大断面図である。図２はこの実施形態にかかる粘着テープ貼着具の各構成パーツを示す分解斜視図である。図３（ａ）はこの実施形態にかかる粘着テープ貼着具のテープ保持手段およびテープ先端貼着手段を示す平面図であり、図３（ｂ）はその側面図、図３（ｃ）はその底面図である。図４（ａ）はこの実施形態にかかる粘着テープ貼着具のテープ保持手段を示す平面図であり、図４（ｂ）はその側面図である。図５（ａ）はこの実施形態にかかる粘着テープ貼着具のテープ保持手段を示す平面図であり、図５（ｂ）はその側面図である。図６は、図１（ａ）のＡ−Ａ’線断面図である。図７は、この実施形態にかかる粘着テープ貼着具の開閉蓋を取外した状態の平面図である。
【００３５】
図１（ａ），（ｂ）に示すように、この粘着テープ貼着具は、内部に巻粘着テープ１０が収容され下部から先端部にかけて開口部１５を有するテープ収納容器１と、この容器１の下部に設けられたローラ２と、前記容器１の先端部に設けられたテープ・カッター３と、このカッター３近くに設けられたテープ保持ピン４（テープ保持手段）と、このテープ保持ピン４で保持された粘着テープ１１の先端部をテープ保持ピン４から離脱させ被貼着面３０に貼着させるテープ先端貼着手段５とから形成されている。
【００３６】
図２に示すように、テープ収納容器１は、第１側面板１ａと、第２側面板１ｂとを重ね合わせて形成される。第２側面板１ｂの内面には、巻粘着テープ１０が外挿される筒状の軸２１が立設されており、この軸２１の内周面にはネジ溝が形成されている。また、軸２１の外周側には、巻粘着テープ１０が側面板１ｂの内面と接触するのを防ぐため、２つの円形の突起１７が設けられている。一方、第１側面板１ａは、その中央部に円形の開口１０１が形成されている。開口１０１は、巻粘着テープ１０を収納、交換するためのものであって、略円盤状の開閉蓋８で塞がれる。この開閉蓋８は、周面にねじ溝が形成されており、開口１０１に開閉自在に螺着される。この開閉蓋８の内面中央部には、外周面にネジ溝を形成した筒状の雄ネジ部２２が開閉蓋８と一体に形成されている。この雄ネジ部２２を前記第２側面板１ｂの軸２１内に螺入させることにより、第１側面板１ａと第２側面板１ｂとを一体に連結することができる。なお、開閉蓋８には、開閉を簡単にするために、指を引っ掛けるための複数の指挿通孔１６が設けられている。また、雄ネジ部２２の外周側には、側面板１ｂと同様に、２つの円形の突起１７が設けられている。
なお、両側面板１ａ、１ｂに設けられた各構成部材は、それぞれ入れ替わって両側面板１ａ、１ｂに設けられていてもよい。すなわち、第１側面板１ａに設けられた開口１０１、開閉蓋８等が第２側面板１ｂに設けられ、また第２側面板１ｂの内面に立設された軸２１等が第１側面板１ａに設けられていてもよい。
【００３７】
前記筒状の軸２１と巻粘着テープ１０との間には、テープ振れ止め用の筒状の巾止め９が設けられている。この巾止め９により、粘着テープ１１を引き出す際には、巻粘着テープ１０が上下左右に振れることがない。
【００３８】
両側面板１ａ、１ｂの内面には、さらにローラ２の軸１３ａ、１３ｂが立設され、第２側面板１ｂの内面にはカッター３とテープ保持ピン４とを保持するための軸１２が立設されている。前記軸１３ａ、１３ｂによってローラ２は回動自在に支持される。このローラ２は弾性のある軟質素材から作られているのが好ましく、例えばゴム、合成樹脂などの軟質発泡体等が挙げられる。ローラ２は一部が前記開口部１５から下方に突出している。
【００３９】
前記カッター３とテープ保持ピン４とは、図２，図３（ａ）〜（ｃ）に示すように１枚の金属製板材を折り曲げ加工して一体に形成されている。すなわち、板材の隣り合う両端の一方がのこぎり刃のような小さな刻み目が形成されたカッター３を構成し、他方には複数のテープ保持ピン４が突出して形成されている。この一体に形成された前記カッター３とテープ保持ピン４とは、側面板１ａに設けられた収納部１４内に収納される。そして、板材の円形折り曲げ部の孔に前記軸１２を挿通させている。このとき、テープ保持ピン４はカッター３の下側に位置する。これにより、カッター３で切断された粘着テープ１１の先端部を保持することができる。すなわち、テープ保持ピン４は、テープ１１の切断と同時に該テープ１１を突き刺して保持する。なお、テープ保持ピン４に代えて、カッター３近くに設けた弱粘着剤層でテープ１１を保持するようにしてもよい。
【００４０】
前記テープ保持ピン４には、図４（ａ），（ｂ）に示すように、テープ保持ピン１１０の先端部より下の外周面に、テープ抜け止め用の突起１２０が設けられていてもよい。また、図５（ａ），（ｂ）に示すように、テープ保持ピン１１１の先端部より下の外周面に、テープ抜け止め用の突起１２１が全周にわたって設けられていてもよい。これらによると、テープ先端部がテープ抜け止め用の突起を突き抜けた状態で保持ピンに突き刺さることで、保持ピンから抜け落ちるのを防止でき、テープ先端部を、より確実に容器に保持することができる。
【００４１】
前記テープ先端貼着手段５は、ローラ２と同じ軸１３ａ、１３ｂにローラ２と共に回動自在に支持されている。すなわち、図２に示すように、貼着手段５は中央にロ―ラ２を収容する開口を有し、軸１３ａ、１３ｂより一端側は、テープを被貼着面３０に貼着するための押圧部６となる。押圧部６の下面には軟質素材のパッドが貼着されている。
【００４２】
テープ先端貼着手段５の押圧部６側には、コイルばね７（弾性体）の一端が取付けられ、コイルばね７の他端は容器１の内面に取り付けられる。これによって、図１０に示すように、押圧部６はコイルばね７の引張り力によって容器１の内部に収容される。そして、この状態では、テープ先端貼着手段５の他端が下面開口部１５より下方に突出している。なお、コイルばね７に代えて、板バネ、ゴムなどの他の弾性体を使用してもよい。
【００４３】
突起１７は、巻粘着テープ１０が容器１の内面に接触するのを防ぐ機能を有するものであれば特に限定されるものではなく、例えば前記した円形状のものや、図７に示すように点状の突起１４を円形に配置したものであってもよい。これにより、粘着テープ１１をスムーズに容器１から引き出すことができる。また、夏場などに巻粘着テープ１０の側面が粘着性を有するようになっても、巻粘着テープ１０が容器１の内面に接触することがないため、テープ１１を容器１からスムーズに引き出すことができる。
【００４４】
次に、この実施形態にかかる粘着テープ貼着具を使用する粘着テープの貼着作業について説明する。図８，９は、この実施形態にかかる粘着テープ貼着具に巻粘着テープ１０を装着する際の手順を示す斜視図、図１０はその要部を示す拡大断面図である。また図１１，図１３〜１５は、この実施形態にかかる粘着テープの貼着・切断方法を示す断面図であり、図１２はその要部を示す拡大断面図である。
【００４５】
容器１に巻粘着テープ１０を装着するには、図８に示すように、まず第２側面板1ｂから指挿通孔１６に指を掛けて開閉蓋８を取外し、ついで図９に示すように第１側面板１ａの軸２１に巾止め９を介して巻粘着テープ１０をセットする。そして、開閉蓋８の雄ネジ部２２を軸２１に挿通させて開閉蓋８を容器１に固定する。
【００４６】
ついで、図１０に示すように、粘着テープ１１を、巻粘着テープ１０からローラ２の下端面を通って、かつ粘着面を下にして容器１の先端方向に引き出し、このテープ１１を上に引上げながらカッター３で切断する。この切断と同時に、テープ保持ピン４がテープ１１の先端部の非粘着面側から突き刺さることで、テープ１１の先端部が容器１に保持される。
【００４７】
上記手順で容器１に保持されたテープ１１を被貼着面３０に貼着するには、図１１，１２に示すように、粘着テープ貼着具を所定の貼着位置にセットし、容器１から下方に突出したテープ先端貼着手段５の他端を、被貼着面３０に接地させる。ついで、容器１を下方に押し付けることで、この他端が矢印で示すように容器１の中に収容されると共に、コイルばね７の引張り力に抗して押圧部６が容器１の外に押出される。これにより、テープ保持ピン４で保持されたテープ１１の先端部が、テープ保持ピン４から離脱する。ついで、押圧部６が被貼着面３０に接するまで容器１を下方に押し付けることで、テープ１１の先端部が被貼着面３０に貼着される。
【００４８】
この状態から、図１３に示すように、容器１を被貼着面３０上を矢印で示す方向に移動させることで、テープ１１が被貼着面３０に貼着される。なお、貼着されたテープ１１は、直ちにローラ２で被貼着面３０に押圧される。
【００４９】
テープ１１を切断するには、図１４に示すように、容器１の先端部を中心にして、容器１を上に軽く持ち上げる。ついで図１５に示すように、容器１を被貼着面３０に対して平行に引くことでテープ１１がカッター３で切断される。この切断と同時に、テープ保持ピン４がテープ１１の先端部の非粘着面側から突き刺さることで、テープ１１の先端部が容器１に保持される。
【００５０】
次に、本発明の第二の実施形態を説明する。図１６は、この実施形態にかかる粘着テープ貼着具を示す断面図である。図１６に示すように、この粘着テープ貼着具は、テープ先端貼着手段９１が、容器９０に立設された軸９２に回動自在に支持されている。
【００５１】
この貼着手段９１は、一端側にテープを被貼着面３０に貼着するための押圧部９３と、この押圧部９３と軸９２との間に、ローラ９５を収容しかつ軸支するための開口と軸９４とを有している。貼着手段９１の略中央には、コイルばね９７（弾性体）の一端が取付けられ、コイルばね９７の他端は容器９０の内面に取り付けられる。これによって、前記と同様に、押圧部９３はコイルばね９７の引張り力によって容器９０の内部に収容される。そして、この状態では、貼着手段９１の他端が容器９０に設けられた下面開口部９８より下方に突出している。
【００５２】
ローラ９５は、前記貼着手段９１の開口に収容されると共に、軸９４に回動自在に支持される。これにより、テープ非貼着時には、ローラ９５は押圧部９３と共に容器９０の内部に収容され、またテープ貼着時には、押圧部９３と共に下部が容器９０の外方に突出する。
【００５３】
容器９０の下端は、この容器９０を被貼着面３０に載置したとき、被貼着面３０に接する載置部位と、この載置部位から容器先端に向かって傾斜した傾斜部位９６とを有し、容器９０を傾けて傾斜部位９６が被貼着面３０に接するときには、テープ先端貼着手段９１の他端が被貼着面３０に接しない。これにより、テープを切断する際には、貼着手段９１の他端が被貼着面３０から離れると共にローラ９５が容器内に収容されるため、テープ１１がローラ９５によって被貼着面３０に押圧されることがなく、簡単に切断することができる。なお、他の構成部位については、図１〜１５に示す前述の実施形態と同じであるので、同じ符号を付して説明を省略する。
【００５４】
次に、この実施形態にかかる粘着テープ貼着具を使用する粘着テープの貼着作業について説明する。図１７，１９，２０はこの実施形態にかかる粘着テープの貼着・切断方法を示す断面図であり、図１８はその要部を示す拡大断面図である。
【００５５】
まず、前記と同様にして、容器９０に巻粘着テープ１０をセットする。この際、粘着テープ１１は、巻粘着テープ１０から軸９２の下端面を通り、ついでローラ９５の下端面を通って、かつ粘着面を下にして容器９０の先端方向に引き出される。これにより、テープ１１は、容器９０の外に出ることなく容器９０にセットされる。
【００５６】
容器９０に保持されたテープ１１を被貼着面３０に貼着するには、図１７，１８に示すように、粘着テープ貼着具を所定の貼着位置にセットし、容器９０から下方に突出した貼着手段９１の他端を、被貼着面３０に接地させる。ついで、容器９０を下方に押し付けることで、この他端が容器９０の中に収容されると共に、コイルばね９７の引張り力に抗して押圧部９３およびローラ９５の一部が容器９０の外に押出される。これにより、前記と同様に、テープ保持ピン４で保持されたテープ１１の先端部が、テープ保持ピン４から離脱する。ついで、押圧部９３が被貼着面３０に接するまで容器１を下方に押し付けることで、テープ１１の先端部が被貼着面３０に貼着される。なお、テープ１１を被貼着面３０に貼着する手順は、前記した実施形態と同様にして貼着すればよい。
【００５７】
テープ１１を切断するには、図１９に示すように、まず容器９０を、傾斜部位９６が被貼着面３０に接するように傾ける。これにより、貼着手段９１の他端が被貼着面から離れると共にローラ９５が容器内に収容される。ついで、ローラ９５でテープ１１が被貼着面３０に押圧された箇所まで、この傾斜部位９６を被貼着面３０に接しながら、容器９０を被貼着面３０に対して平行に移動させる。この際、テープ１１はローラ９５で被貼着面３０に押圧されていないため、容器９０を簡単に引くことができる。そして、図２０に示すように、容器９０の先端部を中心にして、容器９０を上に軽く持ち上げ、容器９０を被貼着面３０に対して水平に引くことでテープ１１がカッター３で切断される。この切断と同時に、テープ保持ピン４がテープ１１の先端部の非粘着面側から突き刺さることで、テープ１１の先端部が容器１に保持される。
【００５８】
次に、本発明の第三の実施形態を説明する。図２１は、この実施形態にかかる粘着テープ貼着具を示す斜視図であり、図２２は、その断面図である。図２３（ａ）は、図２２のＣ−Ｃ’線断面図であり、図２３（ｂ）は、そのＤ−Ｄ’線断面図である。また図２４は、この実施形態にかかる粘着テープ貼着具の分解断面図であり、図２５は厚さ調整板を仕切り板の右片面に配置した際の断面図である。
【００５９】
図２１〜２３に示すように、この粘着テープ貼着具は、第１側面板４１ａと第２側面板４１ｂとにそれぞれ略円盤状の開閉蓋４８が設けられた一対の容器４１と、２つの巻粘着テープ１０が、仕切り板７０（スペーサー）を介して前記容器内４１に収容されている。この仕切り板７０には、２つの巻粘着テープ１０を回動自在に支持するための筒状の軸６１が仕切り板７０を貫通した状態で立設されており、この軸６１の内面にはネジ溝が形成されている。開閉蓋４８は、その周面に側面板４１ａ、４１ｂの中央部に設けられた円形の開口（図示せず）に開閉自在に螺着するためのねじ溝と、複数の指挿通孔５６と、その内面中央部には、外周面にネジ溝を形成した筒状の雄ネジ部６２が開閉蓋４８と一体に形成されている。さらに、開閉蓋４８の内面と、仕切り板７０の両側面には、前記と同様に２つの円形の突起８０が設けられている。
【００６０】
上記のように、この粘着テープ貼着具は、いわば、前記した実施形態のテープ貼着具を仕切り板７０を介して２つ並列に並べた構造と言える。したがって、上記した以外の構成は、前記した実施形態と同様である。以下で具体的に、前記第一の実施形態をこの実施形態に適用した場合を例示して説明する。すなわち、この粘着テープ貼着具は、仕切り板７０を介して、側面板４１ａ、４１ｂに設けられた開口部から一部が下方に突出した一対のローラ４２と、前記側面板４１ａ、４１ｂの先端部に設けられた一対のテープ・カッター４３と、このカッター４３近くに設けられ、このカッター４３で切断された粘着テープ１１の先端部を保持する一対のテープ保持ピン４４と、このテープ保持ピン４４で保持された粘着テープ１１の先端部をテープ保持ピン４４から離脱させ、被貼着面３０に貼着させる一対のテープ先端貼着手段４５とから形成されている。
【００６１】
また、テープ先端貼着手段４５は、側面版４１ａ、４１ｂの下部に立設された軸５３に回動自在に支持され、かつコイルばね４７が接続されたものからなり、このテープ先端貼着手段４５の一端がコイルばね４７の引張り力によって容器４１の内部に収容されて押圧部４６を構成し、後他端が容器４１から下方に突出している。さらに、前記筒状の軸６１と巻粘着テープ１０との間には、巾止め４９が設けられている。
【００６２】
なお、粘着テープ貼着具の安定性を増すうえで、補助輪５０が容器４１の下部後方に設けられている。さらに、貼着具を持ち運び易くするうえで、ストラップ５１が容器４１の後方に設けられている。
【００６３】
これにより、２つの巻粘着テープ１０から同時に２本の粘着テープ１１を引き出すことが可能であり、目地の両側など、所定の間隔を有する２つの被貼着面に同時にテープ（マスキングテープ）を貼着することができ、作業効率がより一層向上する。
【００６４】
前記スペーサーは、２つの巻粘着テープ１０が、所定の間隙を有して容器４１に収容できるものであれば特に限定されるものではなく、例えば図２３〜２５に示した板状や、巻粘着テープを軸支する筒状の軸６１上に突起を設けたもの（図示せず）などが挙げられる。
【００６５】
なお、被貼着面が目地の場合には、スペーサーは仕切り板７０であるのが好ましい。この仕切り板７０は、下部が目地の深さより短い長さで、容器４１の下部より下方に突出している。この突出した下部を目地に入れ、ついでテープ貼着具を目地に沿わせながら貼着することで、テープ１１が目地からはみ出ることなく、目地の両側に貼着される。
【００６６】
また、図２４，２５に示すように、２つの巻粘着テープ１０の間隙を調整するために、厚さ調整板７１を仕切り板７０の両側に配置できるようにするのがよい。これにより、２つの巻粘着テープ１０の間隙を、目地の幅などに合わせて自在に調整できる。
【００６７】
前記調整板７１は、両側面に２つの円形の突起８０が設けられ、かつ厚さの異なる３枚の板材から構成されている。前記厚さは、１〜６ｍｍの範囲内で異ならせるのがよい。この調整板は、目地の幅などに合わせて、厚さを異ならせたり、１〜３枚を組み合わせて用いられる。なお、前記調整板は、板材の厚さが同じ厚さであってもよく、枚数が３枚より多くなってもよい。
【００６８】
また、調整板７１の形状は、前記２つの巻粘着テープ１０の間隙を調整できるものであれば特に限定されるものではなく、例えば容器４１に収納可能な略円盤状のもの（図示せず）などが挙げられる。なお、被貼着面が目地の場合には、目地に挿入でき、かつテープの貼着がスムーズにいくうえで、仕切り板７０と同じ形状であるのが好ましい。
【００６９】
この場合の粘着テープの貼着具へのセットおよびテープの貼着、切断方法は、前記した実施形態と同様にして行えばよい。
【図面の簡単な説明】
【００７０】
【図１】（ａ）は本発明の第一の実施形態にかかる粘着テープ貼着具を示す断面図であり、（ｂ）はその要部を示す拡大断面図である。
【図２】本発明の第一の実施形態にかかる粘着テープ貼着具の各構成パーツを示す分解斜視図である。
【図３】（ａ）は本発明の第一の実施形態にかかる粘着テープ貼着具のテープ保持手段およびテープ先端貼着手段を示す平面図であり、（ｂ）はその側面図、（ｃ）はその底面図である。
【図４】（ａ）は本発明の第一の実施形態にかかる粘着テープ貼着具のテープ保持手段を示す平面図であり、（ｂ）はその側面図である。
【図５】（ａ）は本発明の第一の実施形態にかかる粘着テープ貼着具のテープ保持手段を示す平面図であり、（ｂ）はその側面図である。
【図６】図１（ａ）のＡ−Ａ’線断面図である。
【図７】本発明の第一の実施形態にかかる粘着テープ貼着具の開閉蓋を取外した状態の平面図である。
【図８】本発明の第一の実施形態にかかる粘着テープ貼着具に巻粘着テープをセットする際の手順を示す概略図である。
【図９】本発明の第一の実施形態にかかる粘着テープ貼着具に巻粘着テープをセットする際の手順を示す概略図である。
【図１０】本発明の第一の実施形態にかかる粘着テープ貼着具に巻粘着テープをセットする際の手順を示す要部の拡大断面図である。
【図１１】本発明の第一の実施形態にかかる粘着テープ貼着具を使用する粘着テープの貼着方法を示す断面図である。
【図１２】本発明の第一の実施形態にかかる粘着テープ貼着具を使用する粘着テープの貼着方法を示す要部の拡大断面図である。
【図１３】本発明の第一の実施形態にかかる粘着テープ貼着具を使用する粘着テープの貼着方法を示す断面図である。
【図１４】本発明の第一の実施形態にかかる粘着テープ貼着具を使用する粘着テープの切断方法を示す断面図である。
【図１５】本発明の第一の実施形態にかかる粘着テープ貼着具を使用する粘着テープの切断方法を示す断面図である。
【図１６】本発明の第二の実施形態にかかる粘着テープ貼着具を示す断面図である。
【図１７】本発明の第二の実施形態にかかる粘着テープ貼着具を使用する粘着テープの貼着方法を示す断面図である。
【図１８】本発明の第二の実施形態にかかる粘着テープ貼着具を使用する粘着テープの貼着方法を示す要部の拡大断面図である。
【図１９】本発明の第二の実施形態にかかる粘着テープ貼着具を使用する粘着テープの切断方法を示す断面図である。
【図２０】本発明の第二の実施形態にかかる粘着テープ貼着具を使用する粘着テープの切断方法を示す断面図である。
【図２１】本発明の第三の実施形態にかかる粘着テープ貼着具を示す斜視図である。
【図２２】本発明の第三の実施形態にかかる粘着テープ貼着具を示す断面図である。
【図２３】（ａ）は、図２２のＣ−Ｃ’線断面図であり、（ｂ）は、そのＤ−Ｄ’線断面図である。
【図２４】本発明の第三の実施形態にかかる粘着テープ貼着具を示す分解断面図である。
【図２５】厚さ調整板を仕切り板の右片面に配置した際の断面図である。
【符号の説明】
【００７１】
１，４１，９０  テープ収納容器
１ａ，４１ａ  第１側面板
１ｂ，４１ｂ  第２側面板
２，４２，９５  ローラ
３，４３  テープ・カッター
４，４４，１１０，１１１  テープ保持ピン（テープ保持手段）
５，４５，９１  テープ先端貼着手段
６，４６，９３  押圧部
７，４７，９７  コイルばね（弾性体）
８，４８  開閉蓋
９，４９  巾止め
１０  巻粘着テープ
１１  粘着テープ
１２，１３ａ，１３ｂ，２１，５３，６１，９２，９４  軸
１４  収納部
１５，１５ａ，１５ｂ，９８  開口部
１６，５６  指挿通孔
１７，８０  突起
２２，６２  雄ネジ部
３０  被貼着面
５０  補助輪
５１  ストラップ
７０  仕切り板（スペーサー）
７１  調整板
９６  傾斜部位
１０１  開口
１２０，１２１  突起
【図１】
2006027895.tif 000003
【図２】
2006027895.tif 000004
【図３】
2006027895.tif 000005
【図４】
2006027895.tif 000006
【図５】
2006027895.tif 000007
【図６】
2006027895.tif 000008
【図７】
2006027895.tif 000009
【図８】
2006027895.tif 000010
【図９】
2006027895.tif 000011
【図１０】
2006027895.tif 000012
【図１１】
2006027895.tif 000013
【図１２】
2006027895.tif 000014
【図１３】
2006027895.tif 000015
【図１４】
2006027895.tif 000016
【図１５】
2006027895.tif 000017
【図１６】
2006027895.tif 000018
【図１７】
2006027895.tif 000019
【図１８】
2006027895.tif 000020
【図１９】
2006027895.tif 000021
【図２０】
2006027895.tif 000022
【図２１】
2006027895.tif 000023
【図２２】
2006027895.tif 000024
【図２３】
2006027895.tif 000025
【図２４】
2006027895.tif 000026
【図２５】
2006027895.tif 000027